(57)【要約】【課題】水勢を弱くすることなく水に含まれる異物を効果的に除去し得て、主弁閉弁時における止水不良の問題を解決することのできるフラッシュバルブ装置を提供する。【解決手段】フラッシュバルブ装置１０において、主弁１４の開度が大で上流部１２ａから主弁１４を経て下流部１２ｂに流れる通水の流路面積が大のときには異物の通過空間を大として異物の通過を許容する一方、主弁１４が閉弁するに際して主弁１４の開度が小となり、通水の流路面積が設定以下に小となって以後は、異物の通過を阻止して濾過作用をなすストレーナ４６を、上流部１２ａにおける主弁１４の周りに設けておく。【選択図】        図４
2007321544.tif 000002
【特許請求の範囲】
【請求項１】
(a)給水路と、(b)該給水路を開閉する主弁と、(c)該主弁の背後に形成され、水の圧力により該主弁を閉弁方向に押圧する圧力室と、(d)前記給水路における前記主弁の上流部と前記圧力室とを連通させ、該給水路の水を該圧力室に導入する導水小孔と、(e)該圧力室の水を該給水路における前記主弁の下流部に抜き出す水抜路と、(f)該水抜路を開放して該主弁を開弁動作させ、給水を開始させる起動弁と、を備えて成るフラッシュバルブ装置において、
前記主弁の開度が閉弁と最大開度との間の設定開度よりも大で、前記上流部から該主弁を経て前記下流部に流れる通水の流路面積が大のときには異物の通過空間を大として該異物の通過を許容する一方、該主弁が閉弁するに際して該主弁の開度が前記設定開度以下の小となることにより前記通水の流路面積が設定以下に小となって以後は、前記異物の通過空間を小となして該異物に対して濾過作用をなし、該異物を除去する異物除去部材を、前記上流部の前記主弁の周りに若しくは該主弁より上流側に離れた部位に設けたことを特徴とするフラッシュバルブ装置。
【請求項２】
請求項１において、前記異物除去部材が、前記主弁を取り囲む位置で該主弁と一体移動する状態に設けられた筒状且つメッシュ部材であって、前記主弁の開度が前記設定開度よりも大のときは前記通水の流路の主弁座とは反対側の一部を横切り、該主弁座側の他部を開放状態として異物の通過を許容する一方、前記主弁が閉弁するに際して該主弁の開度が前記設定開度以下となることにより前記通水の流路面積が前記設定以下の小となって以後は、該通水の流路を全体的に横切る状態となって異物濾過するストレーナとなしてあることを特徴とするフラッシュバルブ装置。
【請求項３】
請求項１において、前記異物除去部材が、主弁座を取り囲む位置で固定状態に設けられた筒状且つメッシュ部材であって、前記主弁の開度が前記設定開度よりも大のときには前記通水の流路の前記主弁座側の他部を横切る状態、反対側の一部であって前記主弁との間の部分を開放状態として異物の通過を許容する一方、該主弁が閉弁するに際して該主弁の開度が前記設定開度以下の小となって前記通水の流路面積が設定以下の小となって以後は該通水の流路を全体的に横切る状態となって異物濾過するストレーナとなしてあることを特徴とするフラッシュバルブ装置。
【請求項４】
請求項１において、前記異物除去部材が、主弁座及び前記主弁を取り囲む位置に固定状態に設けられた筒状且つメッシュ部材であって、
前記主弁座側の下部が細目メッシュに、反対側の上部が粗目メッシュに構成されており、
前記主弁の開度が前記設定開度よりも大のときには前記通水の流路の前記主弁座側の他部を前記下部の細目メッシュが横切り、前記上部の粗目メッシュが前記通水の流路の反対側の一部を横切る状態となる一方、該主弁が閉弁するに際して該主弁の開度が前記設定開度以下となることにより該通水の流路面積が設定以下の小となって以後は、該通水の流路の全体を前記細目メッシュが横切る状態となって異物濾過するストレーナとなしてあることを特徴とするフラッシュバルブ装置。
【請求項５】
請求項１において、前記異物除去部材が、前記主弁と主弁座との間に介装されて該主弁側の一端が該主弁と一体移動する状態に、該主弁座側の他端が固定とされて該主弁の移動方向に伸縮運動し、該主弁の開弁運動に連動して異物の通過空間を大となす一方、該主弁の閉弁運動に連動して異物の通過空間を小となす伸縮部材となしてあることを特徴とするフラッシュバルブ装置。
【請求項６】
請求項５において、前記異物除去部材が、線材をコイル状に巻回した部材であって、前記主弁の開弁運動によりコイルの一巻ごとの間隔を広げ、該主弁の閉弁運動によりコイルの一巻ごとの間隔を狭めるコイル部材となしてあることを特徴とするフラッシュバルブ装置。
【請求項７】
請求項１において、前記異物除去部材が、前記主弁と離れた位置で前記上流部を横切る状態に設けられた弾性部材であって、該弾性部材は水勢の強弱に応じて前記給水路の方向に弾性的に伸縮し、伸びた状態で異物の通過空間を大となす一方、縮んだ状態で該異物の通過空間を小とするものとなしてあることを特徴とするフラッシュバルブ装置。
【請求項８】
請求項７において、前記異物除去部材が、コイルスプリング又は中心部に孔を有するゴム膜等の弾性膜となしてあることを特徴とするフラッシュバルブ装置。
【発明の詳細な説明】
【技術分野】
【０００１】
この発明は、便器洗浄水を給水するフラッシュバルブ装置に関し、特に水に含まれているごみ等の異物除去の手段に特徴を有するものに関する。
【背景技術】
【０００２】
従来より、大便器や小便器（以下単に便器とする）に対して用便後に便器洗浄水を給水するフラッシュバルブ装置が広く用いられている。
従来、このフラッシュバルブ装置は、(a)給水路と、(b)給水路を開閉する主弁と、(c)主弁の背後に形成され、水の圧力により主弁を閉弁方向に押圧する圧力室と、(d)給水路における主弁の上流部と圧力室とを連通させ、給水路の水を圧力室に導入する導水小孔と、(e)圧力室の水を給水路における主弁の下流部に抜き出すパイロット水路としての水抜路と、(f)水抜路を開放して主弁を開弁動作させ、給水を開始させるパイロット弁としての起動弁と、を備えて構成されている。
【０００３】
このフラッシュバルブ装置では、使用者が操作部を操作すると起動弁が開弁して水抜路を開放する。すると圧力室の水が水抜路を通じて給水路における主弁の下流部に抜き出され、圧力室の圧力が消失する。
ここにおいて主弁が給水路の上流部の給水圧に基づいて開弁し、給水路を開放して便器洗浄水を給水する。
一方主弁が開弁すると、給水路における上流部の水が導水小孔を通じて圧力室内に流入することによって圧力室の圧力が漸次増大し、そしてその圧力が所定圧に達すると主弁が自動的に閉弁して給水を停止する。
即ちフラッシュバルブ装置の場合、使用者が操作を行うことで便器洗浄水の給水を開始し、その後は設定量の便器洗浄水を給水したところで自動的に主弁が閉じて給水を停止する。
【０００４】
通常、このフラッシュバルブ装置では使用者が給水開始を行わせるための操作部が手動操作部とされているが、センサ式の操作部即ち使用者がかざした手或いは人体を非接触で検知し、そのかざした手や人体の検知に基づいて便器洗浄水を給水する形式のものも知られている。
従来、この種フラッシュバルブ装置にあっては主弁の閉弁時に、詳しくは主弁が主弁座に着座したときに水に含まれているごみ等の異物を噛み込んでしまい、これにより主弁が完全に閉弁状態とならずに止水不良となり、水が漏れっ放しとなってしまうといった問題が生じていた。
【０００５】
この問題の解決を目的としたものが下記特許文献１に開示されている。
図１２はその具体例を示している。
図１２（イ）において、２００はフラッシュバルブ装置２０２における給水路で、２０４はこの給水路２００上に設けられたピストン弁から成る主弁である。
この主弁２０４の開弁及び閉弁によって、給水路２００における上流部２００ａと下流部２００ｂとが連通し又は遮断される。
【０００６】
このフラッシュバルブ装置２０２では、主弁２０４及び主弁座２０５を取り囲むようにして、図１２（ロ）に示す筒状且つメッシュ状のストレーナ２０６が、同じく筒状をなす取付部材２０８にてバルブボデー２１０に固定状態に設けられている。
このフラッシュバルブ装置２０２では、ストレーナ２０６が常時給水路２００のほぼ全体を横切る状態で、詳しくは主弁２０４の開度の大小に拘らず上流部２００ａから主弁２０４を経て下流部２００ｂに流れる通水の流路の全体を横切る状態で位置固定に設けられており、主弁２０４の開弁時に上流部２００ａから主弁２０４を経て下流部２００ｂに流れる通水の全てがこのストレーナ２０６を通過し、その際に水に含まれているごみ等の異物がストレーナ２０６の濾過作用により通水から除去される。
従ってこのフラッシュバルブ装置２０２によれば、水にごみ等の異物が含まれていても主弁２０４が閉弁時にこれを噛み込んでしまうのが防止される。
【０００７】
しかしながらこの図１２（イ）に示すフラッシュバルブ装置２０２の場合、主弁２０４の開度を大として、上流部２００ａから主弁２０４を経て下流部２００ｂに流れる通水の流路面積を大としたときに、即ち大流量で通水を行ったときに、ストレーナ２０６がその通水に対する抵抗となってそこで水勢が弱くなってしまうといった問題がある。
而して水勢が弱くなれば便器洗浄の際に最も重要な瞬間流量が減少し、便器に対する洗浄能力が低下してしまう。
【０００８】
【特許文献１】特開平７−２４７５８６号公報
【発明の開示】
【発明が解決しようとする課題】
【０００９】
本発明は以上のような事情を背景とし、水勢を弱くすることなく水に含まれる異物を効果的に除去し得て、主弁の閉弁時における止水不良の問題を解決することのできるフラッシュバルブ装置を提供することを目的としてなされたものである。
【課題を解決するための手段】
【００１０】
而して請求項１のものは、(a)給水路と、(b)該給水路を開閉する主弁と、(c)該主弁の背後に形成され、水の圧力により該主弁を閉弁方向に押圧する圧力室と、(d)前記給水路における前記主弁の上流部と前記圧力室とを連通させ、該給水路の水を該圧力室に導入する導水小孔と、(e)該圧力室の水を該給水路における前記主弁の下流部に抜き出す水抜路と、(f)該水抜路を開放して該主弁を開弁動作させ、給水を開始させる起動弁と、を備えて成るフラッシュバルブ装置において、前記主弁の開度が閉弁と最大開度との間の設定開度よりも大で、前記上流部から該主弁を経て前記下流部に流れる通水の流路面積が大のときには異物の通過空間を大として該異物の通過を許容する一方、該主弁が閉弁するに際して該主弁の開度が前記設定開度以下の小となることにより前記通水の流路面積が設定以下に小となって以後は、前記異物の通過空間を小となして該異物に対して濾過作用をなし、該異物を除去する異物除去部材を、前記上流部の前記主弁の周りに若しくは該主弁より上流側に離れた部位に設けたことを特徴とする。
【００１１】
請求項２のものは、請求項１において、前記異物除去部材が、前記主弁を取り囲む位置で該主弁と一体移動する状態に設けられた筒状且つメッシュ部材であって、前記主弁の開度が前記設定開度よりも大のときは前記通水の流路の主弁座とは反対側の一部を横切り、該主弁座側の他部を開放状態として異物の通過を許容する一方、前記主弁が閉弁するに際して該主弁の開度が前記設定開度以下となることにより前記通水の流路面積が前記設定以下の小となって以後は、該通水の流路を全体的に横切る状態となって異物濾過するストレーナとなしてあることを特徴とする。
【００１２】
請求項３のものは、請求項１において、前記異物除去部材が、主弁座を取り囲む位置で固定状態に設けられた筒状且つメッシュ部材であって、前記主弁の開度が前記設定開度よりも大のときには前記通水の流路の前記主弁座側の他部を横切る状態、反対側の一部であって前記主弁との間の部分を開放状態として異物の通過を許容する一方、該主弁が閉弁するに際して該主弁の開度が前記設定開度以下の小となって前記通水の流路面積が設定以下の小となって以後は該通水の流路を全体的に横切る状態となって異物濾過するストレーナとなしてあることを特徴とする。
【００１３】
請求項４のものは、請求項１において、前記異物除去部材が、主弁座及び前記主弁を取り囲む位置に固定状態に設けられた筒状且つメッシュ部材であって、前記主弁座側の下部が細目メッシュに、反対側の上部が粗目メッシュに構成されており、前記主弁の開度が前記設定開度よりも大のときには前記通水の流路の前記主弁座側の他部を前記下部の細目メッシュが横切り、前記上部の粗目メッシュが前記通水の流路の反対側の一部を横切る状態となる一方、該主弁が閉弁するに際して該主弁の開度が前記設定開度以下となることにより該通水の流路面積が設定以下の小となって以後は、該通水の流路の全体を前記細目メッシュが横切る状態となって異物濾過するストレーナとなしてあることを特徴とする。
【００１４】
請求項５のものは、請求項１において、前記異物除去部材が、前記主弁と主弁座との間に介装されて該主弁側の一端が該主弁と一体移動する状態に、該主弁座側の他端が固定とされて該主弁の移動方向に伸縮運動し、該主弁の開弁運動に連動して異物の通過空間を大となす一方、該主弁の閉弁運動に連動して異物の通過空間を小となす伸縮部材となしてあることを特徴とする。
【００１５】
請求項６のものは、請求項５において、前記異物除去部材が、線材をコイル状に巻回した部材であって、前記主弁の開弁運動によりコイルの一巻ごとの間隔を広げ、該主弁の閉弁運動によりコイルの一巻ごとの間隔を狭めるコイル部材となしてあることを特徴とする。
【００１６】
請求項７のものは、請求項１において、前記異物除去部材が、前記主弁と離れた位置で前記上流部を横切る状態に設けられた弾性部材であって、該弾性部材は水勢の強弱に応じて前記給水路の方向に弾性的に伸縮し、伸びた状態で異物の通過空間を大となす一方、縮んだ状態で該異物の通過空間を小とするものとなしてあることを特徴とする。
【００１７】
請求項８のものは、請求項７において、前記異物除去部材が、コイルスプリング又は中心部に孔を有するゴム膜等の弾性膜となしてあることを特徴とする。
【発明の作用・効果】
【００１８】
以上のように本発明は、主弁の開度が設定開度よりも大で上流部から主弁を経て下流部に流れる通水の流路面積が大のときには異物の通過空間を大として異物の通過を許容する一方、主弁が閉弁するに際して主弁の開度が設定開度以下の小となり、通水の流路面積が設定以下に小となって以後は、異物の通過空間を小となして異物に対して濾過作用をなす異物除去部材を設けたものである。
かかる本発明は、主弁が異物を噛み込むのは主弁が主弁座に着座するそのときであり、それ以外のときには異物が通水とともに主弁を通過して流れても支障は無く、主弁の閉弁間際で初めて異物を除去すれば良いとの着眼の下になされたものである。
【００１９】
そのためこの発明では、主弁の開度が大のときには実質的に異物除去部材によって異物の除去を行わず、異物の通過空間を確保しておく。
従ってその際に異物除去部材が流れに対して大きな抵抗となることはなく、水勢を強く確保し得て便器に対する洗浄能力を高く保持することができる。
一方で主弁の閉弁間際では異物除去部材が異物の通過空間を小となして、効果的に異物の除去作用を行う。
従って本発明によれば、水勢を強く確保し得るのと併せて、主弁が主弁座に着座する際に異物を噛み込んでしまう問題も解決することができる。
【００２０】
請求項２は、主弁を取り囲む位置に主弁と一体移動する状態で筒状且つメッシュ部材から成るストレーナを設け、主弁の開度が設定開度よりも大のときには、かかるストレーナが通水の流路の主弁座とは反対側の一部を横切り、主弁座側の他部を開放状態として異物の通過を許容する一方、主弁が閉弁するに際して通水の流路が設定以下の小となって以後は、ストレーナが通水の流路を全体的に横切る状態として異物を濾過するようになし、かかるストレーナをもって異物除去部材を構成したもので、この請求項２によれば、単にストレーナを主弁と一体移動する状態に主弁に取り付けておくことで、簡単に通水時における強い水勢の確保と、閉弁時の主弁による異物の噛込みの防止とを実現することができる。
【００２１】
一方請求項３のものは、主弁座を取り囲む位置に筒状且つメッシュ部材から成るストレーナを異物除去部材として固定状態に設け、主弁の開度が大のときには通水の流路の主弁座側の他部をストレーナが横切り、また反対側の一部であって主弁との間の部分をストレーナが開放する状態として異物の通過を許容し、他方、主弁が閉弁するに際して通水の流路面積が設定以下の小となって以後は、ストレーナが通水の流路を全体的に横切る状態となって異物を濾過するようになしたもので、この請求項３においても、通水時における強い水勢の確保と、閉弁時における主弁の異物噛込みの問題の解決を併せて実現することができる。
【００２２】
一方請求項４のものは、筒状且つメッシュ部材から成るストレーナの主弁座側の下部を細目メッシュに、反対側の上部を粗目メッシュに構成し、主弁の開度が大のときには通水を細目メッシュ及び粗目メッシュ全体を通過して流れるようにする一方、主弁の閉弁の際に主弁の開度が小となって以後は、通水の全体が細目メッシュだけを通過するようになし、その際に細目メッシュにて異物を濾過するようになしたもので、この請求項４においても、通水時における強い水勢の確保と、閉弁時の主弁による異物の噛込みの防止とを併せて実現することができる。
【００２３】
次に請求項５は、異物除去部材を主弁の移動方向に伸縮性を有する伸縮部材にて構成して、主弁側の一端を主弁と一体移動させ、他端側を主弁座側に固定状態とし、そして主弁の開弁運動に連動して異物除去部材を伸張させて異物の通過空間を大となし、また主弁の閉弁運動に連動して異物除去部材を収縮させて異物の通過空間を小となすもので、この請求項５においても、通水時における強い水勢の確保と、閉弁時の主弁による異物の噛込みの防止とを併せて実現することができる。
【００２４】
この場合において上記伸縮性の異物除去部材として、線材をコイル状に巻回したコイル部材を用い、そして主弁の開弁運動によりコイルの一巻きごとの間隔を広げ、また主弁の閉弁運動によりコイルの一巻きごとの間隔を狭めることによって、異物の通過空間を大としたり小としたりなすことができる（請求項６）。
この請求項６によれば、単にコイル部材を主弁と主弁座との間に介装しておくだけで、通水時における強い水勢の確保と閉弁時における主弁による異物の噛込みの防止とを併せて実現することができる。
【００２５】
次に請求項７は、異物除去部材として、給水路の上流部の主弁と離れた位置に且つ上流部を横切る状態に弾性部材を設け、そしてその弾性部材は、水勢の強弱に応じて給水路の方向に弾性的に伸縮して、伸びた状態で異物の通過空間を大となし、また縮んだ状態で異物の通過空間を小とするものとなしたもので、この請求項７においても、通水時における強い水勢の確保と、閉弁時における主弁による異物の噛込みの防止とを併せて実現することができる。
【００２６】
この場合においてその異物除去部材は、コイルスプリング又は中心部に孔を有するゴム膜等の弾性膜にて構成しておくことができる（請求項８）。
この請求項８において、異物除去部材としてコイルスプリングを用いた場合には、通水時の水勢が大きいときにはコイルスプリングがその軸心方向、つまり給水路の方向に水勢で伸びた状態となって、コイルの一巻きごとの間隔を広げ、異物の通過を許容する。
また弾性膜の場合には、通水時の水勢の強いときにはかかる弾性膜が給水路の方向に伸びた状態となって中心部の孔を広げ、異物の通過空間を大とする。
【００２７】
一方主弁の開度が小となって水勢が弱くなったときには、コイルスプリングが軸心方向に収縮してコイルの一巻きごとの間隔を狭め、異物の通過空間を小となして異物に対して濾過作用をなす。
また弾性膜の場合には、かかる弾性膜が軸心方向に縮んだ状態となって中心部の孔を小さくし、これにより異物の通過空間を小となして異物に対する濾過作用をなす。
【発明を実施するための最良の形態】
【００２８】
次に本発明の実施形態を図面に基づいて詳しく説明する。
図１において、１０はフラッシュバルブ装置（ここでは大便器用のフラッシュバルブ装置）で、１２は給水路、１４は給水路１２を開閉するピストン式の主弁である。
主弁１４は、常時は主弁座１６に着座した状態にあって、給水路１２における上流部１２ａと下流部１２ｂとを遮断した状態にある。
このフラッシュバルブ装置１０では、主弁１４が主弁座１６から図中上向きに離れて開弁することで、給水路１２における上流部１２ａと下流部１２ｂとが連通状態となって、上流部１２ａの水が主弁１４及び弁口１５を経て下流部１２ｂへと通水し、洗浄水として便器（大便器）に給水される。
【００２９】
主弁１４の背後（図中上側）には圧力室１８が形成されており、主弁１４は、通常時はこの圧力室１８内の水の圧力で図中下向きに押圧され閉弁状態に維持される。
主弁１４には、給水路１２の上流部１２ａの水を圧力室１８へと導入する、流路面積の小さな導水小孔２０が主弁１４を貫通して設けられている。
【００３０】
一方圧力室１８からは、圧力室１８内の水を給水路１２の下流部１２ｂへと抜き出すためのパイロット水路としての水抜路２２が、主弁１４を貫通して延び出しており、その水抜路２２上に傾動式の起動弁２４が設けられている。
この起動弁２４は、軸部２６と弁部２８とを有しており、通常時はスプリング３０の図中下向きの付勢力によって、弁部２８が弁座３２に着座した状態にあり、水抜路２２を閉鎖状態に維持している。
ここでスプリング３０は、主弁１４と起動弁２４の弁部２８とにまたがって介装されている。
【００３１】
３６は給水開始操作を行うための駆動軸で、図３に示すように操作レバー３４を操作すると、この駆動軸３６が図中左向きに突き出されて起動弁２４の軸部２６を図中左向きに押し、起動弁２４を傾動させる。
ここにおいて水抜路２２が開放されて、圧力室１８内の水が給水路１２の下流部１２ｂへと抜き出される。
【００３２】
図１において３８はストッパ軸で、このストッパ軸３８は主弁１４への当接作用により主弁１４の上昇端を規定する。即ち主弁１４の図中上方へのリフトアップ量を規定する。
このストッパ軸３８は大径部４０を有していて、その外周面に雄ねじが形成され、その雄ねじがフラッシュバルブ装置１０におけるバルブボデー４２の雌ねじに螺合されている。
ストッパ軸３８は、その螺合位置を変化させることによって図中上下方向の位置が調節される。即ち主弁１４のリフトアップ量が調節される。
【００３３】
上記主弁１４には、図２にも示しているように導水小孔２０へのごみ等の異物の侵入を防止するメッシュ状のストレーナ４４が、上下方向中間位置に環状に設けられている。
またその下部には、主弁１４の閉弁時にごみ等の異物を除去して、主弁１４がこれを噛み込むのを防止するための異物除去部材としてのストレーナ４６が、主弁１４と一体に移動する状態に、詳しくは主弁１４が図１に示す閉弁位置から一定微小距離上昇した位置と最大開弁位置との間で図中上下動する際に主弁１４と一体に移動する状態に、主弁１４に取り付けられている。
【００３４】
ストレーナ４６は樹脂製の部材（金属製であっても良い）で、図２に示しているように上下の円形のリング部４８，５０と、それらを縦に連結するリブ５２と、上下のリング部４８，５０の間の空間に張設されたメッシュとを有している。ここでメッシュはストレーナ４６における主部５４を成す。
上側のリング部４８は、図２の部分拡大図に示しているように内向きの環状の突出部５６を有している。
一方主弁１４の下部には、外向きの環状の突出部５８が設けられており、そこにストレーナ４６の突出部５６が掛止されることで、ストレーナ４６が主弁１４と一体に昇降するようになっている。
ここでストレーナ４６は、主弁１４の突出部５８の上側の円形の外周面を摺動面６０として、かかる主弁１４に対し摺動可能に主弁１４にて吊持されている。
【００３５】
主弁１４の下面にはガイド部６２が設けられている。
このガイド部６２は、主弁１４の本体とは別体をなす部材を本体に対してねじ結合して設けたもので、このガイド部６２は、主弁１４における本体の下面直下の円板状の上部６４と、下向きに立ち下がる円筒形状の筒状部６６、更に筒状部６６から放射状に突出した板状部６８とを備えている。
【００３６】
円板状の上部６４の外周面は、周方向に沿って微細なピッチで凸部と凹部とが交互に形成されて成る凹凸形状とされている。
このガイド部６２は、図１に示す主弁１４の閉弁状態の下で円板状の上部６４が弁口１５に嵌入した状態となる。
このガイド部６２における円板状の上部６４は、主弁１４の閉弁間際に通水の流量を絞る絞り部として作用する。
即ち、図５に示しているように主弁１４の閉弁間際に先ずこの上部６４が主弁座１６に近接して、主弁座１６と上部６４との間の間隔を狭め、即ち通水の流路を狭め、更に引続く主弁１４の下降運動即ち閉弁運動に伴って、この上部６４が弁口１５内部に嵌入して、弁口１５を通る通水の流量を絞るように作用する。
【００３７】
ストレーナ４６は、図１及び図３に示す主弁１４の閉弁状態の下では、その下端が主弁座１６周りの環状の座ぐり凹部７０の底面に着座し、上側のリング部４８における内向きの突出部５６が主弁１４の外向きの突出部５８から上向きに離間した状態となる。
この状態で主弁１４が開弁運動し、そして閉弁位置から微小距離上昇移動した時点で、内向きの突出部５６が主弁１４の外向きの突出部５８に掛止した状態となって、それ以後主弁１４の開弁運動と一体に上向きに上昇移動する。
【００３８】
そして主弁１４の開度が閉弁と最大開度との間の設定開度よりも大となったときには、図４（図４では主弁１４が最大開度の状態）に示しているように給水路１２における上流部１２ａから主弁１４及び弁口１５を経て下流部１２ｂに流れる通水の流路の上部を、ストレーナ４６が部分的に横切った状態となり、そしてこのときストレーナ４６はその通水の流路の下部、即ち主弁座１６側の下部を開放状態とする。
このときストレーナ４６は、水（流水）に含まれている異物の通過空間を大となして実質的にストレーナとしての働き、即ち異物除去の働きをなさず、ストレーナ４６と主弁座１６側との間に広い空間を形成してごみ等の異物の通過を許容する。
【００３９】
この状態で主弁１４が閉弁運動を開始すると、即ち主弁１４が最大開弁位置から閉弁運動を開始すると、これに伴ってストレーナ４６もまた下降運動し、座ぐり凹部７０の図中上端との間の間隔を漸次狭めて行く。即ち通水の流路の下部の開放領域を漸次狭めて行く。
そして図５に示しているようにあるところで、即ち主弁１４の開度が設定開度となったところで、ストレーナ４６の下端が座ぐり凹部７０の上端まで降下し、これ以後かかるストレーナ４６が通水の流路の全体を横切る状態となる。ここにおいて通水が全てこのストレーナ４６を通過した上で、主弁１４及び弁口１５を経て下流部１２ｂへと流れ込むようになる。
【００４０】
この実施形態では、上記ガイド部６２における円板状の上部６４が主弁座１６に近接して、主弁座１６との間の間隔を小さくしたとき、即ちごみ等の異物が上部６４と主弁座１６との間を通過できなくなる時点とほぼ同時若しくはその直前における主弁１４の開度が上記設定開度とされ、このときストレーナ４６が座ぐり凹部７０の上端まで降下した状態となる。
そのようにストレーナ４６の取付位置や形状，大きさなどが予め定められている。
【００４１】
ストレーナ４６は引続く主弁１４の閉弁運動と一体に下降して座ぐり凹部７０内に深く入り込んで行き、最終的に座ぐり凹部７０の底面に着座する（図６参照）。
主弁１４はその後も更に閉弁運動即ち下降運動し、最終的に主弁座１６に着座して給水路１２を完全に遮断する。即ち通水を完全に無くす。
このときストレーナ４６は、主弁１４の下降運動の途中から主弁１４の摺動面６０を図中上向きに相対摺動し、ストレーナ４６が停止した状態の下で主弁１４だけが閉弁運動して主弁座１６に着座する。
【００４２】
この実施形態では、図４に示す状態即ち主弁１４の開度が大で、ストレーナ４６が通水の流路の下部を開放状態としているときには、水に含まれているごみ等の異物は、その開放空間を通じて主弁１４を通過し、下流部１２ｂへと流れ込むことができる。
一方主弁１４の閉弁運動の過程で図５に示すようにストレーナ４６が座ぐり凹部７０の上端まで降下してからは、通水全てがこのストレーナ４６を通過して下流部１２ｂへと流れ込むようになる。この時点からストレーナ４６は異物濾過の働きをなし、水に含まれている異物を主弁１４に到る前で除去して、異物が主弁１４と主弁座１６との間を通過して流れないようにする。
【００４３】
特にこの実施形態では、ガイド部６２における円板状の上部６４が絞り弁としての働きをなすことから、主弁１４の閉弁時にガイド部６２が絞り弁としての働きを行い始めてから異物が主弁１４の側まで流れて来るとその上部６４にて異物がそこで堰き止められてしまい、その状態で主弁１４が閉弁すると、かかる異物が主弁１４と主弁座１６との間に噛み込まれてしまう。
しかるにこの実施形態では、上部６４が絞り弁として働き出す前にストレーナ４６が座ぐり凹部７０の上端まで降下した状態となって、通水全部をストレーナ４６を通過させるようにするため、このような不具合を生じず、主弁１４が主弁座１６との間で異物を噛み込んでしまうのを良好に防止することができる。
【００４４】
以上のような本実施形態によれば、主弁１４の開度が大のときには実質的にストレーナ４６が異物の除去を行わず、異物の通過空間を大きく確保しておくため、その際にストレーナ４６が流れに対して大きな抵抗となることはなく、通水の水勢を強く確保し得て、便器に対する洗浄能力を高く保持することができる。
また一方で主弁１４の閉弁運動の後期にはストレーナ４６が異物の通過を阻止する状態となって効果的に異物の除去を行う。
従って本実施形態によれば、単にストレーナ４６を主弁１４と一体移動する状態に主弁１４に取り付けておくだけで、水勢を強く確保し得るのと併せて主弁１４が主弁座１６に着座する際に異物を噛み込んでしまう問題も併せて解決することができる。
【００４５】
次に図７は本発明の他の実施形態を示している。
この実施形態は、上側のリング部７４と、下側のリング部５０と、それらの間の空間に張設されたメッシュから成る主部５４とを有する円筒形状のストレーナ７２を、座ぐり凹部７０の底面上に載置状態且つ固定状態に設けた例である。
この実施形態の場合、図７（Ｂ）に示しているように主弁１４が開弁運動してその開度が設定開度よりも大となったときには、ストレーナ７２は通水の流路の下部を部分的に横切り、その上部を開放状態とする。即ち通水する水に含まれるごみ等の異物の通過空間を大きく確保して異物の通過を許容する。
一方図７（Ａ）に示しているように主弁１４が閉弁するに際してその開度が小となったときには、かかるストレーナ７２が通水の流路を全体的に横切る状態となる。
【００４６】
このとき通水はその全てがこのストレーナ７２を通過して流れるようになり、従って水にごみ等の異物が含まれている場合には、かかる異物がストレーナ７２の濾過作用で除去され、異物が主弁座１６の位置まで流れ込むのが防止される。
従って主弁１４の閉弁時に主弁１４が主弁座１６との間で異物を噛み込んでしまうことは無い。
この実施形態においても、通水時における強い水勢の確保と、閉弁時における主弁１４の異物噛込みの防止とを併せて実現することができる。
【００４７】
図８は本発明の更に他の実施形態を示している。
この例では、円筒形状をなすストレーナ７８を図７の実施形態と同様に固定状態に設けているが、ここではストレーナ７８を、座ぐり凹部７０の底面とバルブボデー４２の一部とで上下に挟み込む状態に取付固定している。
ここでストレーナ７８は、上側のリング部７４と下側のリング部５０との間に中間のリング部７６を有しており、そしてこの下側のリング部５０と中間のリング部７６との間の部分の下部が細目メッシュ８０に、また中間のリング部７６と上側のリング部７４との間の部分の上部が粗目メッシュ８２に構成されている。
【００４８】
この実施形態では、主弁１４の開度が大のときには通水の流路の下部を細目メッシュ８０が横切り、また上部を粗目メッシュ８２が横切る状態となって、ストレーナ７８が通水に対して特に抵抗とならないようにし、また一方主弁１４が閉弁するに際して通水の流路面積が設定以下の小となって以後は、通水の流路の全体を細目メッシュ８０が横切る状態となって、異物濾過のためのストレーナとして働くようになしてある。
この実施形態においても、通水時における強い水勢の確保と、閉弁時の主弁１４による異物の噛込みの防止とを併せて実現することができる。
【００４９】
尚、粗目メッシュ８２は異物濾過の働きを持たせないようにすることができ、この場合にはこの粗目メッシュ８２を含むストレーナ７８の上部は、ストレーナ７８を位置固定に取り付けるための取付部としての働きをなすものとなる。
この場合、粗目メッシュ８２を設けないでこれを開放部となすことも可能である。而してこのようになした場合には、ストレーナ７８は基本的に図７に示すものと同様の働きをなすこととなる。
【００５０】
図９は本発明の更に他の実施形態を示している。
この例は、異物除去部材且つコイル部材としてのコイルスプリング８３を、主弁１４と主弁座１６との間、詳しくは座ぐり凹部７０の底面との間に介装し、そしてその上端を主弁１４と一体移動させるとともに下端を位置固定となし、かかるコイルスプリング８３を主弁１４の移動と連動してその移動方向に伸縮運動させるようになしたものである。
この実施形態では、主弁１４の開弁運動によりコイルスプリング８３のコイルの一巻きごとの間隔が広がって、ごみ等の異物の通過空間を大となす一方、主弁１４の閉弁運動によりコイルの一巻きごとの間隔を狭めて、異物の通過空間を小となし、異物の通過を阻止するようになしたものである。
【００５１】
この実施形態では、主弁１４の開度が大のときにはコイルスプリング８３におけるコイルの一巻きごとの間隔が大となって通水に対する抵抗を小となすとともに異物の通過を許容し、また主弁１４の閉弁に際して主弁１４の開度が小となり、上流部１２ａから下流部１２ｂへの通水の流路面積が小となったときには、コイルの一巻きごとの間隔が小となって異物の通過空間を狭め、これにより異物に対する濾過作用を発揮する。
従ってこの実施形態においても、コイルスプリング８３を主弁１４と主弁座１６との間に介装しておくだけで、通水時における強い水勢の確保と、閉弁時における主弁１４による異物の噛込みの防止とを併せて実現することができる。
【００５２】
図１０は本発明の更に他の実施形態を示している。
この例は、給水路１２の上流部１２ａにおける主弁１４よりも更に上流側の部位、詳しくはここでは止水栓８４側の部位に、コイルスプリング８６を異物除去部材としてその軸心方向、即ち給水路１２の方向に伸縮可能に設けた例である。
【００５３】
この実施形態では、主弁１４の開度が大で通水の流量が大のとき、即ち水勢が強いときにはコイルスプリング８６が図１０（Ａ）に示しているように図中右方向に伸びた状態となって、コイルの一巻きごとの間隔を広げ、異物の通過空間を大となす一方、主弁１４の開度が小となって通水の流路面積が設定よりも小となったときには、コイルスプリング８６が図１０（Ｂ）に示しているように給水路１２の方向に縮んだ状態となって、コイルの一巻きごとの間隔を狭め、異物の通過空間を小となすようにした例である。
この実施形態においても、通水時における強い水勢の確保と、閉弁時における主弁１４による異物の噛込みの防止とを併せて実現することができる。
【００５４】
図１１は本発明の更に他の実施形態を示している。
この例は、図１０のコイルスプリング８６に代えて、中心部に孔８８を有する平面円形状のゴム膜９０を、給水路１２を横切る状態に設けた例である。
この例の場合、主弁１４の開度が大で通水の流路面積が大であるとき、即ち水勢が強いときにはゴム膜９０がその強い水勢によって図１１（Ａ）に示しているように給水路１２の方向に伸びた状態となって中心部の孔８８を広げる。即ち異物の通過空間を大とする。
【００５５】
一方主弁１４の開度が小となって通水の流路面積が設定よりも小となって以後は、ゴム膜９０が給水路１２の方向に縮んだ状態となって中心部の孔８８を小さくし、異物の通過空間を小となす。
通常、流水中の異物は給水路１２の下部を通って流れることから、このようにゴム膜９０の中心部に孔８８を設けておき、且つその孔８８の開度を小さくすることで、十分に異物の通過を防止することができる。
この実施形態においても、通水時における強い水勢の確保と、閉弁時における主弁１４による異物の噛込みの防止とを併せて実現することができる。
【００５６】
以上本発明の実施形態を詳述したがこれらはあくまで一例示であり、本発明はダイヤフラム弁を主弁とするフラッシュバルブ装置にも適用可能であるなど、その趣旨を逸脱しない範囲において種々変更を加えた形態で構成可能である。
【図面の簡単な説明】
【００５７】
【図１】本発明の一実施形態であるフラッシュバルブ装置を主弁閉弁状態で示す図である。
【図２】図１の主弁及びストレーナを示す斜視図である。
【図３】同実施形態のフラッシュバルブ装置の作用を示す作用説明図である。
【図４】図３に続く作用説明図である。
【図５】図４に続く作用説明図である。
【図６】図５に続く作用説明図である。
【図７】本発明の他の実施形態を示す要部拡大図である。
【図８】本発明の更に他の実施形態を示す要部拡大図である。
【図９】本発明の更に他の実施形態を示す要部拡大図である。
【図１０】本発明の更に他の実施形態を示す要部拡大図である。
【図１１】本発明の更に他の実施形態を示す要部拡大図である。
【図１２】従来公知のフラッシュバルブ装置を示す図である。
【符号の説明】
【００５８】
１０  フラッシュバルブ装置
１２  給水路
１２ａ  上流部
１２ｂ  下流部
１４  主弁
１６  主弁座
１８  圧力室
２０  導水小孔
２２  水抜路
２４  起動弁
４６，７２，７８  ストレーナ（異物除去部材）
８０  細目メッシュ
８２  粗目メッシュ
８３  コイルスプリング（異物除去部材，コイル部材）
８６  コイルスプリング（異物除去部材，弾性部材）
８８  孔
９０  ゴム膜（異物除去部材，弾性部材）
【図１】
2007321544.tif 000003
【図２】
2007321544.tif 000004
【図３】
2007321544.tif 000005
【図４】
2007321544.tif 000006
【図５】
2007321544.tif 000007
【図６】
2007321544.tif 000008
【図７】
2007321544.tif 000009
【図８】
2007321544.tif 000010
【図９】
2007321544.tif 000011
【図１０】
2007321544.tif 000012
【図１１】
2007321544.tif 000013
【図１２】
2007321544.tif 000014